(57)【要約】【課題】スクリーンコーナー部における電子ビームのスポットを歪ませない偏向ヨークを提供することを目的とする。【解決手段】一対の水平偏向コイル１−ａと一対の垂直偏向コイル２を有する偏向ヨークであって、水平偏向コイル１−ａの電子銃側後端よりも垂直偏向コイル２の後端を長くし、水平偏向コイル後端より電子銃側へ伸びた部分の垂直偏向コイル２を水平偏向コイル１−ａとオーバーラップする部分より径小とした。また水平偏向コイル後端より電子銃側へ伸びた垂直偏向コイル２の内側に位置するブラウン管内部に垂直偏向磁界を設け、内部にピンクッション磁界を形成する一対の磁性片を設けた。【選択図】　図１
2004063379.tif 000002
【特許請求の範囲】
【請求項１】
一対の水平偏向コイルと一対の垂直偏向コイルを有する偏向ヨークであって、水平偏向コイルの電子銃側後端よりも垂直偏向コイルの後端を長くし、水平偏向コイル後端より電子銃側へ伸びた部分の垂直偏向コイルを水平偏向コイルとオーバーラップする部分より径小としたことを特徴とする偏向ヨーク。
【請求項２】
水平偏向コイル後端より電子銃側へ伸びた垂直偏向コイルの内側に位置するブラウン管内部に垂直偏向磁界を設け、内部にピンクッション磁界を形成する一対の磁性片を設けたことを特徴とする請求項１記載の偏向ヨーク。
【発明の詳細な説明】
【０００１】
【発明の属する技術分野】
本発明はカラーテレビジョン受像機、コンピュータディスプレイモニタ及びブラウン管三管式投射型受像機、プロジョクター映写機に用いる偏向ヨークに関するものである。
【０００２】
【従来の技術】
偏向ヨークは陰極線管の電子銃から射出される電子ビームを偏向させ、画面を表示させるものであり、一対の水平偏向コイルと一対の垂直偏向コイルを有している。
【０００３】
以下従来の偏向ヨークについて説明する。図１０は従来の偏向コイルの斜視図、図１１は従来の偏向コイルの側面図、図１２、図１３、図１４は従来の偏向コイルの断面図、図１５は従来の垂直偏向コイルの製造方法の説明図、図１６は従来の垂直偏向コイルと水平偏向コイルの磁界図、図１７は従来のスクリーンコーナー部における電子ビームのスポット図である。
【０００４】
図１０に示すように一対の水平偏向コイル１と一対の垂直偏向コイル２は、図中Ｙ軸、Ｘ軸で示す直交軸上で組み合わされるように配置されており、ブラウン管軸（図中のＺ軸）方向の位置関係は図１１に示すように、水平偏向コイル１の両端にあるコイルの折り返し部（以下ベンド部と呼ぶ）の内側に垂直偏向コイル２が配置されている。図１１の３はフェライトコアを示しており、フェライトコア３は垂直偏向コイル２の両端のベンド部の内側に配置されている。
【０００５】
図１１中の５で示す部分での断面を図１２に示す。図１２の７はブラウン管のガラス管であり、８は水平偏向コイル１と垂直偏向コイル２を電気的に絶縁する枠を示している。図１５は従来の垂直偏向コイルの製造方法を示す図で、垂直偏向コイルの内面を作る金型９と外面を作る金型１０の間に銅線を巻回し成形することで垂直偏向コイル２を作っている。
【０００６】
【発明が解決しようとする課題】
上記従来の偏向ヨークでは水平偏向コイルの電子銃側後端が垂直偏向コイルの電子銃側後端より長く、図１６に示すように水平偏向コイルの作る磁力線１６が垂直偏向コイルの作る磁力線１７より電子銃側に長く伸び、その結果図１３、図１４に示すように電子銃より射出される電子ビーム１４は、まず水平偏向コイルの作る磁力線１６により水平方向１５へ偏向されその後水平偏向コイルの作る磁力線と垂直偏向コイルの作る磁力線の合力により偏向される。その結果、図１７に示すようにスクリーンのコーナー部において電子ビームのスポット１９が楕円に歪むという問題を有していた。
【０００７】
本発明は前記従来の問題点を解決するもので、スクリーンコーナー部における電子ビームのスポットを歪ませない偏向ヨークを提供することを目的とする。
【０００８】
【課題を解決するための手段】
この目的を達成するために、本発明は、一対の水平偏向コイルと一対の垂直偏向コイルを有する偏向ヨークであって、水平偏向コイルの電子銃側後端よりも垂直偏向コイルの電子銃側後端を長くし、水平偏向コイル後端より電子銃側へ伸びた部分の垂直偏向コイルを水平偏向コイルとオーバーラップする部分より径小とした。
【０００９】
本発明は上記構成によって、スクリーンコーナー部における電子ビームのスポットを歪ませない偏向ヨークを提供できる。
【００１０】
【発明の実施の形態】
請求項１記載の本発明は、一対の水平偏向コイルと一対の垂直偏向コイルを有する偏向ヨークであって、水平偏向コイルの電子銃側後端よりも垂直偏向コイルの後端を長くし、水平偏向コイル後端より電子銃側へ伸びた部分の垂直偏向コイルを水平偏向コイルとオーバーラップする部分より径小とした。
【００１１】
請求項２記載の本発明の偏向ヨークは、水平偏向コイル後端より電子銃側へ伸びた垂直偏向コイルの内側に位置するブラウン管内部に垂直偏向磁界を設け、内部にピンクッション磁界を形成する一対の磁性片を設けた。
【００１２】
本発明によれば、スクリーンコーナー部における電子ビームのスポットを歪ませない偏向ヨークを提供できる。
【００１３】
（実施の形態１）
図１は本発明の実施の形態１における偏向ヨークの側面図、図２は本発明の実施の形態１における偏向ヨークの断面図、図３は本発明の実施の形態１における垂直偏向コイルの製造方法の説明図、図４は本発明の実施の形態１におけるブラウン管と偏向ヨークの側面図、図５は本発明の実施の形態１における垂直偏向コイルと水平偏向コイルの磁界図、図６は本発明の実施の形態１における偏向ヨークの断面図、図７は本発明の実施の形態１における偏向ヨークの断面図、図８は本発明の実施の形態１におけるスクリーンコーナー部における電子ビームのスポット図である。
【００１４】
図１は、偏向ヨークの水平偏向コイルと垂直偏向コイルの位置関係を表す図である。図１に示すように、水平偏向コイルの電子銃側後端１−ａを折り返し部を持たない形状、所謂「ベンドレス」形状とし、垂直偏向コイル２の電子銃側後端を水平偏向コイル後端よりも長くしている。更に水平偏向コイルとオーバーラップしない部分４はオーバーラップする部分よりも径小としている。
【００１５】
図１における６の位置での断面を示すのが図２であり、図２に示すように、この位置では水平偏向コイル１が無いので垂直偏向コイル２及び絶縁枠８はブラウン管のガラス管７に近づくように径小とすることができる。フェライトコア３（図２には図示せず）も同様に径小とすることが出来る。
【００１６】
またフェライトコアのＺ軸方向の位置についても、従来は図１３に示すように垂直偏向コイル２のスクリーン側ベンド部と電子銃側ベンド部の間でその長さと位置が決まっていたが、本発明の偏向ヨークでは図１に示すように垂直偏向コイル２の電子銃側ベンド部が後退したことでフェライトコアを電子銃側へ伸長したり、後退させることが可能となる。
【００１７】
図３は垂直偏向コイルの製造方法を示す図で、垂直偏向コイル２の内面を作る金型９の小径側９ａはコイルがブラウン管に近づくように細く作られており、コイルの外面を作る金型１０も小径部を細くしている。この金型９、１０の間でコイルを成形することで電子銃側後端が径小となった垂直偏向コイルを作っている。
【００１８】
図４は偏向ヨーク１３をブラウン管１２に取り付けた状態を表す図で、電子ビームは図中の１１の矢印で示す方向に偏向ヨーク内部へ進入して来る。従来の偏向ヨークでは図１６に示すように水平偏向コイルの作る磁界１６が垂直偏向コイルの作る磁界１７より電子銃側へ長く伸びていたので、電子ビームはまず、水平偏向コイルの作る磁界１６で横方向へ変形され、その後水平偏向コイルの作る磁界と垂直偏向コイルの作る磁界でコーナー方向へ偏向されるのでスクリーンのコーナー部では図１７に示すように電子ビームのスポット１９は楕円形となっていた。
【００１９】
しかし、本発明の偏向ヨークでは、図５に示すように垂直偏向コイル２の作る磁界１７が水平偏向コイル１の作る磁界１６より長くなっているので、図６に示すように電子ビーム１４は垂直偏向コイル２の作る磁界１７によって概縦楕円に変形された後、図７に示すように水平偏向コイル１の作る磁界１６と垂直偏向コイル２の作る磁界１７の合力によってコーナー方向へ偏向されるので、図８に示すようにスクリーン上でのスポット１９の歪みは改善され、円形となる。
【００２０】
（実施の形態２）
図９は本発明の実施の形態２における偏向ヨークの断面図であり、ブラウン管のガラス管７の内側に一対の磁性片２０を設け、垂直偏向コイルの作る磁力線１７を磁性片２０によって電子ビーム近傍へ集める構成とした。
【００２１】
【発明の効果】
以上の様に本発明は、水平偏向コイルの電子銃側後端よりも垂直偏向コイルの後端を長くし、水平偏向コイル後端より電子銃側へ伸びた部分の垂直偏向コイルを水平偏向コイルとオーバーラップする部分より径小としたことで、スクリーンのコーナー部での電子ビームのスポット歪みを改善できる。
【図面の簡単な説明】
【図１】本発明の実施の形態１における偏向ヨークの側面図
【図２】本発明の実施の形態１における偏向ヨークの断面図
【図３】本発明の実施の形態１における垂直偏向コイルの製造方法の説明図
【図４】本発明の実施の形態１におけるブラウン管と偏向ヨークの側面図
【図５】本発明の実施の形態１における垂直偏向コイルと水平偏向コイルの磁界図
【図６】本発明の実施の形態１における偏向ヨークの断面図
【図７】本発明の実施の形態１における偏向ヨークの断面図
【図８】本発明の実施の形態１におけるスクリーンコーナー部における電子ビームのスポット図
【図９】本発明の実施の形態２における偏向ヨークの断面図
【図１０】従来の偏向コイルの斜視図
【図１１】従来の偏向コイルの側面図
【図１２】従来の偏向コイルの断面図
【図１３】従来の偏向コイルの断面図
【図１４】従来の偏向コイルの断面図
【図１５】従来の垂直偏向コイルの製造方法の説明図
【図１６】従来の垂直偏向コイルと水平偏向コイルの磁界図
【図１７】従来のスクリーンコーナー部における電子ビームのスポット図
【符号の説明】
１　水平偏向コイル
２　垂直偏向コイル
１３　偏向ヨーク
１４　電子ビーム
１９　スポット
２０　磁性片
【図１】
2004063379.tif 000003
【図２】
2004063379.tif 000004
【図３】
2004063379.tif 000005
【図４】
2004063379.tif 000006
【図５】
2004063379.tif 000007
【図６】
2004063379.tif 000008
【図７】
2004063379.tif 000009
【図８】
2004063379.tif 000010
【図９】
2004063379.tif 000011
【図１０】
2004063379.tif 000012
【図１１】
2004063379.tif 000013
【図１２】
2004063379.tif 000014
【図１３】
2004063379.tif 000015
【図１４】
2004063379.tif 000016
【図１５】
2004063379.tif 000017
【図１６】
2004063379.tif 000018
【図１７】
2004063379.tif 000019